(57)【特許請求の範囲】
【請求項１】
通話のためのレシーバと、第１軸受部とを有する第１筐体と、
通話のためのマイクロホンと、第２軸受部とを有する第２筐体と、
前記第１軸受部に回動可能に支持される第１ヒンジ軸と、前記第２軸受部に回動可能に支持される第２ヒンジ軸とを有するアーム部材と、
前記第１筐体と前記アーム部材との開閉である第１開閉をロックする第１ロック機構と、
前記第２筐体と前記アーム部材との開閉である第２開閉をロックする第２ロック機構と、
表示装置と
を具備し、
前記第１ヒンジ軸は前記アーム部材の長手方向の一方側に配置され、前記第２ヒンジ軸は前記長手方向の他方側に配置され、
前記第１筐体及び前記第２筐体は扁平であり、
前記第１筐体は、厚さ方向の両側に第１筐体第１面と第１筐体第２面とを有しており、
前記第２筐体は、厚さ方向の両側に第２筐体第１面と第２筐体第２面とを有しており、
前記表示装置の表示画面が前記第１筐体第１面に配置されており、
前記第１軸受部は前記第１筐体第２面に配置されており、
前記第２軸受部は前記第２筐体第１面に配置されており、
前記第１筐体第２面と前記第２筐体第１面とが対向している閉状態と、前記閉状態から前記第１筐体が前記第２筐体第１面に沿ってスライドした状態である開状態とを取ることができ、
前記第１筐体第２面には溝部が設けられており、
前記第１軸受部は前記溝部に配置されており、
前記閉状態と前記開状態とにおいては、前記アーム部材と前記第２軸受部とが前記溝部に収容される
折り畳み型携帯電話機。
【請求項２】
請求項１の折り畳み型携帯電話機であって、
第１ロック解除スイッチを具備し、
前記第１ロック解除スイッチは、前記第１ロック解除スイッチの操作に基づいて電気信号である第１ロック解除信号を出力し、
前記第１ロック機構は、前記第１ロック解除信号に基づいて前記第１開閉のロックを解除する
折り畳み型携帯電話機。
【請求項３】
請求項１又は２の折り畳み型携帯電話機であって、
第２ロック解除スイッチを具備し、
前記第２ロック解除スイッチは、前記第２ロック解除スイッチの操作に基づいて電気信号である第２ロック解除信号を出力し、
前記第２ロック機構は、前記第２ロック解除信号に基づいて前記第２開閉のロックを解除する
折り畳み型携帯電話機。
【請求項４】
請求項１乃至３のいずれか一項の折り畳み型携帯電話機であって、
ロック同時解除スイッチを具備し、
前記第１ロック機構と前記第２ロック機構とは、前記ロック同時解除スイッチの操作に基づいて前記第１開閉のロックと前記第２開閉のロックとを同時に解除する
折り畳み型携帯電話機。
【請求項５】
請求項１の折り畳み型携帯電話機であって、
前記第１ロック機構は、
前記第１ヒンジ軸に固定された第１ヒンジ軸係合部と、
第１摺動体係合部が固定され、前記第１ヒンジ軸に平行な方向に摺動可能に前記第１筐体に取り付けられた第１摺動体と、
前記第１摺動体を第１位置と第２位置とに動かす第１駆動部と
を備え、
前記第１位置において前記第１摺動体係合部と前記第１ヒンジ軸係合部とが係合することで前記第１開閉がロックされ、
前記第２位置において前記第１摺動体係合部と前記第１ヒンジ軸係合部との係合がはずれることで前記第１開閉のロックが解除される
折り畳み型携帯電話機。
【請求項６】
請求項５の折り畳み型携帯電話機であって、
前記第１ヒンジ軸係合部は第１ヒンジ軸係合要素を有しており、
前記第１摺動体係合部は複数の第１摺動体係合要素を有しており、
前記第１ヒンジ軸係合要素と前記複数の第１摺動体係合要素の一つとが係合することで
前記第１開閉がロックされ、
前記第１ヒンジ軸係合要素は凸形状であり、前記第１摺動体係合要素は凹形状である
折り畳み型携帯電話機。
【請求項７】
請求項６に記載の折り畳み型携帯電話機であって、
前記第１ロック機構は、前記第１筐体と前記アーム部材との開き角度を所定の第１角度、所定の第２角度、及び、前記第１角度より大きく前記第２角度より小さい所定の第３角度において前記第１開閉をロックする
折り畳み型携帯電話機。
【請求項８】
請求項１の折り畳み型携帯電話機であって、
前記第２ロック機構は、
前記第２ヒンジ軸に固定された第２ヒンジ軸係合部と、
第２摺動体係合部が固定され、前記第２ヒンジ軸に平行な方向に摺動可能に前記第２筐体に取り付けられた第２摺動体と、
前記第２摺動体を第３位置と第４位置とに動かす第２駆動部と
を備え、
前記第３位置において前記第２摺動体係合部と前記第２ヒンジ軸係合部とが係合することで前記第２開閉がロックされ、
前記第４位置において前記第２摺動体係合部と前記第２ヒンジ軸係合部との係合がはずれることで前記第２開閉のロックが解除される
折り畳み型携帯電話機。
【請求項９】
請求項８の折り畳み型携帯電話機であって、
前記第２ヒンジ軸係合部は第２ヒンジ軸係合要素を有しており、
前記第２摺動体係合部は複数の第２摺動体係合要素を有しており、
前記第２ヒンジ軸係合要素と前記複数の第２摺動体係合要素の一つとが係合することで
前記第２開閉がロックされ、
前記第２ヒンジ軸係合要素は凸形状であり、前記第２摺動体係合要素は凹形状である
折り畳み型携帯電話機。
【請求項１０】
請求項９に記載の折り畳み型携帯電話機であって、
前記第２ロック機構は、前記第２筐体と前記アーム部材との開き角度を所定の第４角度、所定の第５角度、及び、前記第４角度より大きく前記第５角度より小さい所定の第６角度において前記第２開閉をロックする
折り畳み型携帯電話機。
【請求項１１】
請求項１の折り畳み型携帯電話機であって、
前記第１筐体は、前記第１筐体第２面に回転体を有しており、
前記第１筐体と前記回転体とは、前記第１筐体の厚さ方向に平行な回転軸まわりの相対回転が可能であり、
前記第１軸受部は前記回転体に配置されている
折り畳み型携帯電話機。
【請求項１２】
請求項１１の折り畳み型携帯電話機であって、
前記相対回転の回転角度を検出し、検出結果に基づいて回転角度信号を出力する回転角度センサを具備し、
前記表示装置は、前記回転角度信号に基づいて、縦長画面表示又は横長画面表示の一方で前記表示画面に表示する
前記縦長画面表示とは、画面の縦の長さが画面の横の長さよりも長い画面表示であり、
前記横長画面表示とは、画面の横の長さが画面の縦の長さよりも長い画面表示である
折り畳み型携帯電話機。
【請求項１３】
請求項１２の折り畳み型携帯電話機であって、
前記表示画面に表示する画面の上方向を切替えるための表示方向切換えキーを具備し、
前記表示装置は、前記表示方向切換えキーの操作に基づいて前記画面の上方向を切換える
折り畳み型携帯電話機。
【請求項１４】
請求項１３の折り畳み型携帯電話機であって、
前記表示方向切換えキーは、表示方向切換えキー入力部と、表示方向切換えキー表示部とを有しており、
前記表示方向切換えキー表示部は、前記表示方向切換えキー入力部を操作することで切換えようとする前記画面の上方向である表示切換え方向を示すマークを表示し、
前記マークは、前記回転角度信号に基づいて所定のマーク群から選択されており、
前記表示装置は、前記表示方向切換えキー入力部の操作に基づいて前記画面の上方向を前記表示切替え方向に切替える
折り畳み型携帯電話装置。
【請求項１５】
請求項１の折り畳み型携帯電話機であって、
前記第１筐体は、前記第１筐体第２面に回転体を有しており、
前記第１筐体と前記回転体とは、前記第１筐体の厚さ方向に平行な回転軸まわりの相対回転が可能であり、
前記回転体は、前記溝部の一部をなす回転体溝部を備えており、
前記第１軸受部は前記回転体溝部に配置されている
折り畳み型携帯電話機。
【請求項１６】
通話のためのレシーバと、第１軸受部とを有する第１筐体と、
通話のためのマイクロホンと、第２軸受部とを有する第２筐体と、
前記第１軸受部に回動可能に支持される第１ヒンジ軸と、前記第２軸受部に回動可能に支持される第２ヒンジ軸とを有するアーム部材と、
前記第１筐体と前記アーム部材との開閉である第１開閉をロックする第１ロック機構と、
前記第２筐体と前記アーム部材との開閉である第２開閉をロックする第２ロック機構と、
２つのロック解除スイッチと
を具備し、
前記第１ヒンジ軸は前記アーム部材の長手方向の一方側に配置され、前記第２ヒンジ軸は前記長手方向の他方側に配置され、
前記２つのロック解除スイッチは、前記２つのロック解除スイッチが同時に押下されているときに限って電気信号であるロック解除信号を出力し、
前記第１ロック機構又は前記第２ロック機構は、前記ロック解除信号に基づいて前記第１開閉又は前記第２開閉のロックを解除する
折り畳み型携帯電話機。
【請求項１７】
請求項１６の折り畳み型携帯電話機であって、
前記第１筐体は、
表示画面が設けられた略矩形の第１筐体主面と、
前記第１筐体主面に垂直且つ前記第１筐体主面の長辺に沿って延びる２つの側面と
を備え、
前記２つのロック解除スイッチはそれぞれ前記２つの側面に設けられる
折り畳み型携帯電話機。
【発明の詳細な説明】
【技術分野】
【０００１】
本発明は、折り畳み型携帯電話機に関する。
【背景技術】
【０００２】
従来、一対のキャビネットがヒンジ部によって開閉可能に連結され、一方のキャビネットの内側面にメインディスプレイを備えるとともに背面にサブディスプレイを備え、両キャビネットを閉じた状態でもサブディスプレイによって時刻や着信などが表示される折り畳み型携帯電話機が知られている。
【０００３】
図１９に示すように、本体キャビネット２０１と蓋体キャビネット２０２と連結アーム２０３と回転板２０６とを具備し、本体キャビネット２０１の端部と連結アーム２０３の一端部とが第１ヒンジ機構を形成して連結し、回転板２０６が蓋体キャビネット２０２の背面中央部に蓋体キャビネット２０２の背面に垂直な回転軸まわりに回転可能に連結し、連結アーム２０３の他端部と回転板２０６に形成された凸条部２０４とが第２ヒンジ機構を形成して連結している折り畳み型携帯電話機が特許文献１に開示されている。
【０００４】
特許文献１に記載の携帯電話機においては、本体キャビネット２０１と連結アーム２０３との開き角度と、蓋体キャビネット２０２と連結アーム２０３との開き角度とを変化させることで姿勢を変更することが可能とされている。さらに、蓋体キャビネット２０２を回転板２０６に対して回転させることで、蓋体キャビネット２０２の内側面に配備されているメインディスプレイ２０５の画面を横長の向きにすることが可能とされている。
【０００５】
特許文献１に記載の携帯電話機は、無線通信機能、メール送受信機能、テレビジョン会議機能、及びテレビジョン放送受信機能を有している。
【０００６】
【特許文献１】特開２００５−１１７２７２号公報
【発明の開示】
【発明が解決しようとする課題】
【０００７】
本発明の目的は、マイクロホンとレシーバを通話に好適な位置に調節し、その位置に固定することが可能な折り畳み型携帯電話機を提供することである。
【０００８】
本発明の他の目的は、卓上に載せてテレビジョン放送を視聴するために好適な折り畳み型携帯電話機を提供することである。
【０００９】
本発明の更に他の目的は、構造が安定化されている折り畳み型携帯電話機を提供することである。
【課題を解決するための手段】
【００１０】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１１】
本発明による折り畳み型携帯電話機（１００）は、第１筐体（１又は５）と、第２筐体（２）と、アーム部材（３）と、第１ロック機構（６１）と、第２ロック機構（６２）とを具備している。前記第１筐体は、通話のためのレシーバ（１１）と、第１軸受部（４５）とを有している。前記第２筐体は、通話のためのマイクロホン（２１）と、第２軸受部（２５）とを有している。前記アーム部材は、前記アーム部材の長手方向の一方側に配置され、前記第１軸受部に回動可能に支持される第１ヒンジ軸（３１）と、前記長手方向の他方側に配置され、前記第２軸受部に回動可能に支持される第２ヒンジ軸（３２）とを有している。前記第１ロック機構は前記第１筐体と前記アーム部材との開閉である第１開閉をロックし、前記第２ロック機構は前記第２筐体と前記アーム部材との開閉である第２開閉をロックする。
【００１２】
さらに、本発明による折り畳み型携帯電話機（１００）は、第１ロック解除スイッチ（１４ａ、１４ａ’）を具備している。前記第１ロック解除スイッチは、前記第１ロック解除スイッチの操作に基づいて電気信号である第１ロック解除信号（１２１）を出力する。前記第１ロック機構は、前記第１ロック解除信号に基づいて前記第１開閉のロックを解除する。
【００１３】
さらに、本発明による折り畳み型携帯電話機（１００）は、第２ロック解除スイッチ（１４ｃ、１４ｃ’）を具備している。前記第２ロック解除スイッチは、前記第２ロック解除スイッチの操作に基づいて電気信号である第２ロック解除信号（１２２）を出力する。前記第２ロック機構は、前記第２ロック解除信号に基づいて前記第２開閉のロックを解除する。
【００１４】
さらに、本発明による折り畳み型携帯電話機（１００）は、ロック同時解除スイッチ（１４ｂ、１４ｂ’）を具備している。前記第１ロック機構と前記第２ロック機構とは、前記ロック同時解除スイッチの操作に基づいて前記第１開閉のロックと前記第２開閉のロックとを同時に解除する。
【００１５】
また、本発明による折り畳み型携帯電話機（１００）においては、前記第１ロック機構は、前記第１ヒンジ軸に固定された第１ヒンジ軸係合部（３１ａ）と、第１摺動体係合部（４５２ａ）が固定され、前記第１ヒンジ軸に平行な方向に摺動可能に前記第１筐体に取り付けられた第１摺動体（４５２）と、前記第１摺動体を第１位置と第２位置とに動かす第１駆動部（４５１Ｍ、４５２Ｍ、４５３Ｍ、及び４５Ｓ、又は、サーボモータ）とを備えている。前記第１位置において前記第１摺動体係合部と前記第１ヒンジ軸係合部とが係合することで前記第１開閉がロックされる。前記第２位置において前記第１摺動体係合部と前記第１ヒンジ軸係合部との係合がはずれることで前記第１開閉のロックが解除される。
【００１６】
さらに、本発明による折り畳み型携帯電話機（１００）においては、前記第１ヒンジ軸係合部は第１ヒンジ軸係合要素（３１ｘ）を有し、前記第１摺動体係合部は複数の第１摺動体係合要素（４５２ｘ）を有している。前記第１ヒンジ軸係合要素と前記複数の第１摺動体係合要素の一つとが係合することで  前記第１開閉がロックされる。前記第１ヒンジ軸係合要素は凸形状であり、前記第１摺動体係合要素は凹形状である。
【００１７】
さらに、本発明による折り畳み型携帯電話機（１００）においては、前記第１ロック機構は、前記第１筐体と前記アーム部材との開き角度（θ１）を所定の第１角度（０度）、所定の第２角度（１８０度）、及び、前記第１角度より大きく前記第２角度より小さい所定の第３角度（３０、６０、９０、１２０、１５０度）において前記第１開閉をロックする。
【００１８】
また、本発明による折り畳み型携帯電話機（１００）においては、前記第２ロック機構は、前記第２ヒンジ軸に固定された第２ヒンジ軸係合部（３２ａ）と、第２摺動体係合部（２５２ａ）が固定され、前記第２ヒンジ軸に平行な方向に摺動可能に前記第２筐体に取り付けられた第２摺動体（２５２）と、前記第２摺動体を第３位置と第４位置とに動かす第２駆動部（２５Ｓ、２５４Ｍ、２５２Ｍ、２５４Ｍ’、及び２５２Ｍ’、又は、サーボモータ）とを備えている。前記第３位置において前記第２摺動体係合部と前記第２ヒンジ軸係合部とが係合することで前記第２開閉がロックされ、前記第４位置において前記第２摺動体係合部と前記第２ヒンジ軸係合部との係合がはずれることで前記第２開閉のロックが解除される。
【００１９】
さらに、本発明による折り畳み型携帯電話機（１００）においては、前記第２ヒンジ軸係合部は第２ヒンジ軸係合要素（３２ｘ）を有し、前記第２摺動体係合部は複数の第２摺動体係合要素（２５２ｘ）を有している。前記第２ヒンジ軸係合要素と前記複数の第２摺動体係合要素の一つとが係合することで前記第２開閉がロックされる。前記第２ヒンジ軸係合要素は凸形状であり、前記第２摺動体係合要素は凹形状である。
【００２０】
さらに、本発明による折り畳み型携帯電話機（１００）においては、前記第２ロック機構は、前記第２筐体と前記アーム部材との開き角度（θ２）を所定の第４角度（０度）、所定の第５角度（１８０度）、及び、前記第４角度より大きく前記第５角度より小さい所定の第６角度（３０、６０、９０、１２０、１５０度）において前記第２開閉をロックする。
【００２１】
また、本発明の折り畳み型携帯電話機（１００）は、表示装置（１２）を具備している。そして、前記第１筐体及び前記第２筐体は扁平である。前記第１筐体は、厚さ方向の両側に第１筐体第１面（１ａ）と第１筐体第２面（１ｂ）とを有している。前記第２筐体は、厚さ方向の両側に第２筐体第１面（２ａ）と第２筐体第２面（２ｂ）とを有している。前記表示装置の表示画面（１２ａ）が前記第１筐体第１面に配置されている。前記第１軸受部は前記第１筐体第２面に配置され、前記第２軸受部は前記第２筐体第１面に配置されている。本発明の折り畳み型携帯電話機（１００）は、前記第１筐体第２面と前記第２筐体第１面とが対向している閉状態（図１５（Ａ）に示す状態）と、前記閉状態から前記第１筐体が前記第２筐体第１面に沿ってスライドした状態である開状態（図１５（Ｅ）に示す状態）とを取り得る。
【００２２】
さらに、本発明の折り畳み型携帯電話機（１００）においては、前記第１筐体は、前記第１筐体第２面に回転体（４）を有している。前記第１筐体と前記回転体とは、前記第１筐体の厚さ方向に平行な回転軸（Ｌ３）まわりの相対回転が可能である。前記第１軸受部は前記回転体に配置されている。
【００２３】
さらに、本発明の折り畳み型携帯電話機（１００）は、前記相対回転の回転角度（θ３）を検出し、検出結果に基づいて回転角度信号（１０１、１１１）を出力する回転角度センサ（７０）を具備している。前記表示装置は、前記回転角度信号に基づいて、縦長画面表示又は横長画面表示の一方で前記表示画面に表示する。ここで、前記縦長画面表示とは、画面の縦の長さが画面の横の長さよりも長い画面表示であり、前記横長画面表示とは、画面の横の長さが画面の縦の長さよりも長い画面表示である。
【００２４】
さらに、本発明による折り畳み型携帯電話機（１００）は、前記表示画面に表示する画面の上方向を切替える表示方向切換えキー（１３）を具備している。前記表示装置は、前記表示方向切換えキーの操作に基づいて前記画面の上方向を切換える。
【００２５】
さらに、本発明による折り畳み型携帯電話機（１００）においては、前記表示方向切換えキーは、表示方向切換えキー入力部（１３ａ、１３ｂ）と、表示方向切換えキー表示部（１３ｘ、１３ｙ）とを有している。前記表示方向切換えキー表示部は、前記表示方向切換えキー入力部を操作することで切換えようとする前記画面の上方向である表示切換え方向を示すマークを表示する。前記マークは、前記回転角度信号に基づいて所定のマーク群から選択されている。そして、前記表示装置は、前記表示方向切換えキー入力部の操作に基づいて前記画面の上方向を前記表示切替え方向に切替える。
【００２６】
また、本発明による折り畳み型携帯電話機（１００）においては、前記第１筐体第２面には溝部（１５ｂ、１５ｃ、１５ｄ）が設けられている。前記第１軸受部は前記溝部に設けられている。折り畳み型携帯電話機（１００）の前記閉状態と前記開状態とにおいては、前記アーム部材と前記第２軸受部とが前記溝部に収容される。
【００２７】
さらに、本発明による折り畳み型携帯電話機（１００）においては、前記第１筐体は、前記第１筐体第２面に回転体（４）を有している。前記第１筐体と前記回転体とは、前記第１筐体の厚さ方向に平行な回転軸（Ｌ３）まわりの相対回転が可能である。前記回転体は、前記溝部の一部をなす回転体溝部（１５ｄ）を備えている、前記第１軸受部は前記回転体溝部に配置されている。  
【発明の効果】
【００２８】
本発明によれば、マイクロホンとレシーバを通話に好適な位置に調節し、その位置に固定することが可能な折り畳み型携帯電話機が提供される。
【００２９】
また、本発明によれば、卓上に載せてテレビジョン放送を視聴するために好適な折り畳み型携帯電話機が提供される。
【００３０】
さらに、本発明によれば、構造が安定化されている折り畳み型携帯電話機が提供される。
【発明を実施するための最良の形態】
【００３１】
添付図面を参照して、本発明による折り畳み型携帯電話機を実施するための最良の形態を以下に説明する。
【００３２】
本発明による折り畳み型携帯電話機１００を図１に示す。携帯電話機１００を折り畳んだ閉状態において、図１（Ａ）は携帯電話機１００を上側から見た状態を示し、図１（Ｂ）は下側から見た状態を示す。携帯電話機１００は、第１筐体１と第２筐体２とを具備している。第１筐体１と、第２筐体２とは、それぞれの主面が略矩形である扁平な板状形状をしている。第１筐体１の主面の一方である第１筐体上側面１ａには、液晶表示装置のような表示装置１２の表示画面１２ａが設けられている。表示画面１２ａは略矩形であり、その長辺方向は第１筐体上側面１ａの長辺方向に一致している。第２筐体２の主面の一方である第２筐体下側面２ｂには、カメラ２４が設けられている。
【００３３】
折り畳み型携帯電話機１００の組立図を図２に示す。図２（Ａ）は折り畳み型携帯電話機１００を上側から見た状態を示し、図２（Ｂ）は折り畳み型携帯電話機１００を下側から見た状態を示している。折り畳み型携帯電話機１００は、アーム部材３と円盤状の回転体４とを具備している。
【００３４】
第１筐体上側面１ａには、その長辺方向の一方の端部に通話のためのレシーバ１１が設けられ、他方の端部に表示方向切換えキー１３が設けられている。表示方向切換えキー１３は、タッチパネルディスプレイのような表示機能付きの入力装置であり、第１筐体上側面１ａの短辺方向に延びる略矩形形状をしている。表示方向切換えキー１３は、その一方の端部に表示方向切換えキー第１入力部１３ａ及び表示方向切換えキー第１表示部１３ｘを有し、他方の端部に表示方向切換えキー第２入力部１３ｂ及び表示方向切換えキー第２表示部１３ｙを有している。表示方向切換えキー第１入力部１３ａと表示方向切換えキー第１表示部１３ｘとは第１筐体１の厚さ方向に重なって配置されており、表示方向切換えキー第２入力部１３ｂと表示方向切換えキー第２表示部１３ｙとは第１筐体１の厚さ方向に重なって配置されている。第１筐体上側面１ａに垂直な第１筐体１の４つの側面のうち、第１筐体上側面１ａの長辺に沿って延びる第１筐体側面１ｃと第１筐体側面１ｃ’とには、第１筐体側面１ｃに第１ロック解除スイッチ１４ａ、ロック同時解除スイッチ１４ｂ、及び第２ロック解除スイッチ１４ｃが設けられ、第１筐体側面１ｃ’に第１ロック解除スイッチ１４ａ’、ロック同時解除スイッチ１４ｂ’、及び第２ロック解除スイッチ１４ｃ’が設けられている。第１ロック解除スイッチ１４ａ及び１４ａ’、ロック同時解除スイッチ１４ｂ及び１４ｂ’、第２ロック解除スイッチ１４ｃ及び１４ｃ’には押しボタンスイッチが好適に用いられ、感圧スイッチを用いても良い。第１筐体上側面１ａの反対側に位置する第１筐体下側面１ｂには、溝部１５が形成されている。溝部１５は、第１筐体下側面１ｂの中央部分に位置する溝部円形部分１５ａと、溝部円形部分１５ａから第１筐体下側面１ｂの長辺方向の一方と他方とにそれぞれ延びる溝部第１直線部分１５ｂと溝部第２直線部分１５ｃとを有している。溝部円形部分１５ａの内周面にはその周方向に沿って凹状の第１筐体側輪状ガイド部１７が設けられている。溝部円形部分１５ａの底面には、磁束検出器１６ａと磁束検出器１６ｂとが設置されている。磁束検出器１６ａと磁束検出器１６ｂは、溝部円形部分１５ａの底面の表面に露出していてもよく、溝部円形部分１５ａの底面の内側に設置されていてもよい。
【００３５】
ここで、第１筐体１に対してＸ１、Ｙ１、Ｚ１直交座標系を定義する。Ｘ１軸の正方向は、第１筐体上側面１ａ及び第１筐体下側面１ｂの短辺方向に平行であり、第１筐体側面１ｃから、第１筐体側面１ｃ’を見る方向に一致している。Ｙ１軸の正方向は、第１筐体上側面１ａ及び第１筐体下側面１ｂの長辺方向に平行であり、表示方向切換えキー１３からレシーバ１１を見る方向に一致している。Ｚ１軸の正方向は、第１筐体１の厚さ方向に平行であり、第１筐体下側面１ｂから第１筐体上側面１ａを見る方向に一致している。Ｘ１、Ｙ１、Ｚ１座標系は右手系であり、原点はＯ１である。
【００３６】
回転体４は、円盤状の形状をしており、両端が外周面に達する直線状の回転体溝部１５ｄを下側円盤面４ｂ側に有している。下側円盤面４ｂの反対側に位置する上側円盤面４ａには、磁束発生器４Ｍおよび磁束発生器４Ｍ’が設けられている。磁束発生器４Ｍおよび磁束発生器４Ｍ’は、上側円盤面４ａの表面に露出していてもよく、上側円盤面４ａの内側に配置されていてもよい。回転体４の厚さ方向から見ると、磁束発生器４Ｍと磁束発生器４Ｍ’の位置は、回転体溝部１５ｄの一方の端部と他方の端部とにそれぞれ重なっている。回転体溝部１５ｄには第１軸受部４５が設けられている。回転体４の外周面には、その周方向に沿って凸状の回転体側輪状ガイド部４１が設けられている。
【００３７】
ここで、回転体４に対してＸ４、Ｙ４、Ｚ４直交座標系を定義する。Ｙ４軸の正方向は、回転体溝部１５ｄに平行であり、磁束発生器４Ｍ’から磁束発生器４Ｍを見る方向に一致している。Ｚ４軸の正方向は、回転体４の厚さ方向に平行であり、下側円盤面４ｂから上側円盤面４ａを見る方向に一致している。Ｘ４、Ｙ４、Ｚ４座標系は右手系であり、原点はＯ４である。
【００３８】
アーム部材３は、棒状に直線的に形成されており、その長手方向の両端部に第１ヒンジ軸３１と第２ヒンジ軸３２とを有している。第１ヒンジ軸３１と第２ヒンジ軸３２の軸方向は、ともにアーム部材３の長手方向に直角であり、互いに平行である。また、アーム部材３は、アーム部材３の長手方向に延びるアーム部材上側面３ａを有し、アーム部材上側面３ａの反対側にアーム部材３の長手方向に延びるアーム部材下側面３ｂを有している。
【００３９】
ここで、アーム部材３に対してＸ３、Ｙ３、Ｚ３直交座標系を定義する。Ｘ３軸の正方向は、第１ヒンジ軸３１及び第２ヒンジ軸３２の軸方向に平行である。Ｙ３軸の正方向は、アーム部材３の長手方向に平行であり、第１ヒンジ軸３１から第２ヒンジ軸３２を見る方向に一致している。Ｚ３軸の正方向は、アーム部材下側面３ｂからアーム部材上側面３ａを見る方向に一致している。Ｘ３、Ｙ３、Ｚ３座標系は右手系であり、原点はＯ３である。
【００４０】
第２筐体２は、第２筐体２の主面であり、第２筐体下側面２ｂの反対側に位置している第２筐体上側面２ａを有している。第２筐体上側面２ａには、その長辺方向の一方の端部に第２軸受部２５が設けられ、他方の端部に通話のためのマイクロホン２１が設けられている。第２筐体上側面２ａには、ダイヤルをするため、又はメールを作成するためのメインキー２２と、スピーカ２３とが設けられている。
【００４１】
ここで、第２筐体２に対してＸ２、Ｙ２、Ｚ２直交座標系を定義する。Ｙ２軸の正方向は、第２筐体上側面２ａ及び第２筐体下側面２ｂの長辺方向に平行であり、マイクロホン２１から第２軸受部２５を見る方向に一致している。Ｚ２軸の正方向は、第２筐体２の厚さ方向に平行であり、第２筐体下側面２ｂから第２筐体上側面２ａを見る方向に一致している。Ｘ２、Ｙ２、Ｚ２座標系は右手系であり、原点はＯ２である。
【００４２】
折り畳み型携帯電話機１００の可動部について図２及び図３を用いて説明する。回転体４は、第１筐体側輪状ガイド部１７と回転体側輪状ガイド部４１とが嵌合することで、第１筐体１に取り付けられている。ここで、回転体４は、第１筐体下側面１ｂが形成している平面からはみ出さないように溝部円形部分１５ａに収容されている。回転体４は、第１筐体１に対して回転軸Ｌ３まわりに回転可能である。回転軸Ｌ３軸はＺ１軸及びＺ４軸に平行である。アーム部材３は、第１ヒンジ軸３１が第１軸受部４５によって回動軸Ｌ１まわりに回動可能に支持されることで、回転体４に取り付けられている。アーム部材３と回転体４とは、回動軸Ｌ１まわりに開閉可能な第１ヒンジ部を形成している。回動軸Ｌ１はＸ３軸及びＸ４軸に平行である。また、アーム部材３は、第２ヒンジ軸３２が第２軸受部２５によって回動軸Ｌ２まわりに回動可能に支持されることで、第２筐体２に取り付けられている。アーム部材３と第２筐体２とは、回動軸Ｌ２まわりに開閉可能な第２ヒンジ部を形成している。回動軸Ｌ２はＸ２軸及びＸ３軸に平行である。電気配線３５は、アーム部材３の内部を通って、第１筐体１に属する電気回路と第２筐体２に属する電気回路とを電気的に接続している。電気配線３５としては、フレキシブルプリント基板が用いられ、又は、電気ケーブルが用いられる。
【００４３】
折り畳み型携帯電話機１００が図１及び図２に示す折り畳み状態（閉状態）にあるときについて説明する。溝部第１直線部分１５ｂ、溝部第２直線部分１５ｃ、及び回転体溝部１５ｄは、一連の直線状の溝を形成している。アーム部材３及び第２軸受部２５は、回転体溝部１５ｄと溝部第１直線部分１５ｂとに収容されており、アーム部材３は第１筐体下側面１ｂが規定する仮想的な平面からはみ出していない。このため、アーム部材３に外力が加わることが防がれている。さらに、第１筐体下側面１ｂと第２筐体上側面２ａとが対向して接触している。したがって、折り畳み型携帯電話機１００は折り畳んだ状態（閉状態）において構造が安定化されており、第１軸受部４５及び第２軸受部２５が破損することが防がれている。
【００４４】
また、折り畳み型携帯電話機１００が折り畳み状態にあるときは、原点Ｏ１〜Ｏ４を重ね合わせると、Ｘ１〜Ｘ４軸は互いに一致し、Ｙ１〜Ｙ４軸は互いに一致し、Ｚ１〜Ｚ４軸は互いに一致する。ここで、第１筐体１と回転体４とが相対的に回転してもＺ１軸とＺ４軸との平行関係は維持され、アーム部材３と回転体４とが開閉してもＸ３軸とＸ４軸との平行関係は維持され、第２筐体２とアーム部材３とが開閉してもＸ２軸とＸ３軸の平行関係は維持される。
【００４５】
第２ヒンジ部は、アーム部材３と第２筐体２とが回動軸Ｌ２まわりに開閉しないようにロックした状態と、ロックを解除した状態とをとり得る。以下、図４〜図６を用いて第２ヒンジ部の一の形態における第２ロック機構６２について説明する。図４及び図５についての説明において適宜図６を参照すれば、第２ロック機構６２の立体的形状を容易に把握することができる。ここで、第２ロック機構６２は、第２ヒンジ軸３２と、第２摺動体２５２及び２５２’と、弾性体４５Ｓと磁束発生器２５２Ｍ、２５２Ｍ’、２５４Ｍ、及び２５４Ｍ’とから構成される駆動装置、又は、サーボモータ、ラック２５２Ｒ、２５２Ｒ’及びピニオン２５２Ｐから構成される駆動装置とを有している。
【００４６】
図４は、第２ヒンジ部の一の形態について、第２ヒンジ部をロックした状態について示す図であり、図４（Ａ）は第２ヒンジ部の上面図であり、図４（Ｂ）は第２ヒンジ部のＡ−Ａ切断線における断面図であり、図４（Ｃ）は第２ヒンジ部のＢ−Ｂ切断線における断面図である。
【００４７】
図４（Ａ）に示すように、軸受体２５１及び軸受体２５１’は、第２筐体上側面２ａに固定されており、第２ヒンジ軸３２を回転可能に支持している。第２筐体上側面２ａの内側には基部２５４及び基部２５４’が固定されており、基部２５４と基部２５４’の間にガイド２５ＡがＸ２軸に平行に取り付けられている。第２摺動体２５２と第２摺動体２５２’とは、ガイド２５Ａに沿って摺動可能に第２筐体２に取り付けられている。基部２５４と、第２摺動体２５２と、第２摺動体２５２’と、基部２５４’とは、この順番でＸ２軸の負から正に向かう方向に一直線上に並んでいる。第２摺動体２５２の上部は、第２筐体上側面２ａに設けられた第２筐体孔部２５３から第２筐体上側面２ａの外に露出しており、第２摺動体２５２’の上部は、第２筐体上側面２ａに設けられた第２筐体孔部２５３’から第２筐体上側面２ａの外に露出している。第２摺動体２５２は、圧縮コイルばねのような弾性体２５ＳによってＸ２軸の正方向に付勢され、第２ヒンジ軸３２と係合することで第２ヒンジ部をロックしている。第２摺動体２５２’は、弾性体２５ＳによってＸ２軸の負方向に付勢され、第２ヒンジ軸３２と係合することで第２ヒンジ部をロックしている。基部２５４の内部には磁束発生器２５４Ｍが固定され、第２摺動体２５２の内部には磁束発生器２５２Ｍが固定され、第２摺動体２５２’の内部には磁束発生器２５２Ｍ’が固定され、基部２５４’の内部には磁束発生器２５４Ｍ’が固定されている。磁束発生器２５４Ｍ、磁束発生器２５２Ｍ、磁束発生器２５２Ｍ’、及び、磁束発生器２５４Ｍ’は、一例として鉄心の周囲にコイルが巻きつけられて形成されている電磁石であり、この順番にＸ２軸の負から正に向かう方向に一直線上に並んでおり、図４に示す状態においては磁束を発生していない。第２軸受部２５は、第２筐体上側面２ａから露出している第２摺動体２５２及び２５２’の上部と、軸受体２５１及び２５１’とを有している。
【００４８】
図５は、第２ヒンジ部の一の形態について、第２ヒンジ部のロックを解除した状態について示す図である。このとき、磁束発生器２５４Ｍ、磁束発生器２５２Ｍ、磁束発生器２５２Ｍ’、及び、磁束発生器２５４Ｍ’には、磁束発生器２５４Ｍと磁束発生器２５２Ｍとの間に引力が発生し、磁束発生器２５２Ｍと磁束発生器２５２Ｍ’との間に斥力が発生し、磁束発生器２５２Ｍ’と磁束発生器２５４Ｍ’との間に引力が発生するように、それぞれのコイルに電流が流れている。したがって、第２摺動体２５２がＸ２軸の負方向に移動して第２摺動体２５２と第２ヒンジ軸３２との係合がはずれ、且つ、第１摺動体２５２’がＸ２軸の正方向に移動して第２摺動体２５２’と第２ヒンジ軸３２との係合がはずれて、第２ヒンジ部のロックが解除されている。
【００４９】
つぎに、図７を参照して第２ヒンジ部の他の形態について説明する。図７（Ａ）は第２ヒンジ部の上面図であり、図７（Ｂ）は第２ヒンジ部のＣ−Ｃ切断線における断面図である。第２ヒンジ部の他の形態においては、弾性体２５Ｓと、磁束発生器２５４Ｍと、磁束発生器２５２Ｍと、磁束発生器２５２Ｍ’と、磁束発生器２５４Ｍ’とは存在しない。第２摺動体２５２にはラック２５２Ｒが固定され、第２摺動体２５２’にはラック２５２Ｒ’が固定されている。ラック２５２Ｒとラック２５２Ｒ’とは、ともにＸ２軸方向に延びており、ラック２５２Ｒがラック２５２Ｒ’のＺ２軸の正方向に位置して互いに対向して平行に配置されており、それぞれの対向している面に歯を有している。ピニオン２５２ＰはＹ２軸に平行な回転軸を有しており、ラック２５２Ｒ及びラック２５２Ｒ’と歯がかみ合うように両者の間に設置されている。サーボモータのような駆動装置を用いてピニオン２５２Ｐを図７（Ｂ）の矢印で示す方向（Ｙ２軸の負方向に進む右ねじが回転する方向）に回転させると、第２摺動体２５２がＸ２軸の負方向に移動して第２摺動体２５２と第２ヒンジ軸３２との係合がはずれ、且つ、第２摺動体２５２’がＸ２軸の正方向に移動して第２摺動体２５２’と第２ヒンジ軸３２との係合がはずれて、第２ヒンジ部のロックが解除される。これとは逆に、ピニオン２５２ＰをＹ２軸の正方向に進む右ねじが回転する方向に回転させると、第２摺動体２５２がＸ２軸の正方向に移動して第２摺動体２５２と第２ヒンジ軸３２とが係合し、第２摺動体２５２’がＸ２軸の負方向に移動して第２摺動体２５２’と第２ヒンジ軸３２とが係合して、第２ヒンジ部がロックされる。
【００５０】
第１ヒンジ部は、アーム部材３と回転体４とが回動軸Ｌ１まわりに開閉しないようにロックした状態と、ロックを解除した状態とをとり得る。以下、図８及び図９を用いて第１ヒンジ部のロック機構について説明する。図８は、回転体４について示す部分断面図であり、図８（Ａ）は第１ヒンジ部をロックした状態について示し、図８（Ｂ）は第１ヒンジ部のロックを解除した状態について示す。また、図９は、第１ヒンジ部の第１ロック機構６１の立体的形状を示している。ここで、第１ロック機構６１は、第１ヒンジ軸３１と、第１摺動体４５２と、弾性体４５Ｓと磁束発生器４５１Ｍ〜４５３Ｍとから構成される駆動装置、又は、サーボモータ、ラック及びピニオンから構成される駆動装置とを有している。
【００５１】
図８（Ａ）及び（Ｂ）に示すように、回転体溝部１５ｄの両側壁の内側に第１軸受部４５が設けられている。第１軸受部４５は、ガイド４５Ａと、弾性体４５Ｓと、軸受体４５１と、第１摺動体４５２と、基部４５３とを有している。回転体溝部１５ｄの側壁である回転体溝部側壁４５５には第１ヒンジ軸３１を通すための穴が貫通している。軸受体４５１は回転体溝部側壁４５５の内側に固定され、基部４５３は回転体４の外周面の一部を形成している外周壁４５４の内側に固定され、軸受体４５１と基部４５３とは対向して配置されている。ガイド４５Ａは、軸受体４５１と基部４５３の間にＸ４軸に平行に取り付けられている。第１摺動体４５２は、ガイド４５Ａに沿う方向に摺動可能に回転体４に取り付けられている。
【００５２】
図８（Ａ）に示すように第１ヒンジ部をロックした状態においては、第１摺動体４５２は、圧縮コイルばねのような弾性体４５ＳによってＸ４軸の負方向である軸受体４５１側に付勢され、第１ヒンジ軸３１と係合することで第１ヒンジ部をロックしている。軸受体４５１の内部には磁束発生器４５１Ｍが固定され、第１摺動体４５２の内部には磁束発生器４５２Ｍが固定され、基部４５３の内部には磁束発生器４５３Ｍが固定されている。磁束発生器４５１Ｍ、磁束発生器４５２Ｍ、磁束発生器４５３Ｍは、一例として鉄心の周囲にコイルが巻きつけられて形成されている電磁石であり、この順番にＸ４軸の負から正に向かう方向に延びる直線上に並んでおり、図８（Ａ）に示す状態においては磁束を発生していない。
【００５３】
図８（Ｂ）に示すように第１ヒンジ部のロックを解除した状態においては、磁束発生器４５１Ｍと磁束発生器４５２Ｍとの間に斥力が発生し、磁束発生器４５２Ｍと磁束発生器４５３Ｍとの間に引力が発生するように、それぞれのコイルに電流が流れている。したがって、第１摺動体４５２がＸ４軸の正方向である基部４５３側に移動し、第１摺動体４５２と第１ヒンジ軸３１との係合がはずれている。第１軸受部４５の反対側も同様に構成されており、同様に動作する。
【００５４】
つぎに、図１０〜図１２を用いて、第１ヒンジ部及び第２ヒンジ部をロックするための係止構造について説明する。第１ヒンジ軸３１は、その端部に第１ヒンジ軸係合部３１ａを有しており、第２ヒンジ軸３２は、その端部に第２ヒンジ軸係合部３２ａを有している。第２摺動体２５２は、その溝部の底部に第２摺動体係合部２５２ａを有し、第１摺動体４５２は、その溝部の底部に第１摺動体係合部４５２ａを有している。
【００５５】
はじめに第一の係止構造について説明する。図１０（Ａ）に示すように、第１ヒンジ軸係合部３１ａ及び第２ヒンジ軸係合部３２ａは、凸形状の係合要素３１ｘと係合要素３２ｘとをそれぞれ有している。一方、図１１（Ａ）に示すように、第２摺動体係合部２５２ａは、凹形状の係合要素２５２ｘを複数有している。係合要素２５２ｘは、後述する角度θ２が０、３０、６０、９０、１２０、１５０、１８０度において第２ヒンジ部の開閉がロックされるように配置されている。係合要素３２ｘと係合要素２５２ｘの一つとが係合することで、第２ヒンジ部は所定の開き角度でロックされる。また、図１２（Ａ）に示すように、第１摺動体係合部４５２ａは、凹形状の係合要素４５２ｘを複数有している。係合要素４５２ｘは、後述する角度θ１が０、３０、６０、９０、１２０、１５０、１８０度において第１ヒンジ部の開閉がロックされるように配置されている。係合要素３１ｘと係合要素４５２ｘの一つとが係合することで、第１ヒンジ部が所定の開き角度でロックされる。
【００５６】
ここで、係合要素２５２ｘ及び４５２ｘは、４５度おき等の一定角度ごとに配置しても良く、０、９０、１２０、１５０、１８０度というように必要なところのみに配置しても良い。また、係合要素３１ｘが凹形状で複数存在し、係合要素４５２ｘが凸形状で単数であっても良い。係合要素３２ｘが凹形状で複数存在し、係合要素２５２ｘが凸形状で単数であっても良い。
【００５７】
つぎに第二の係止構造について説明する。図１０（Ｂ）に示すように、第１ヒンジ軸係合部３１ａと第２ヒンジ軸係合部３２ａとは、円錐面の外側面を形成している係合要素３１ｙと係合要素３２ｙとをそれぞれ有している。一方、図１１（Ｂ）に示すように、第２摺動体係合部２５２ａは、円錐面の内側面を形成している係合要素２５２ｙを有している。係合要素３２ｙと係合要素２５２ｙとの摩擦力は大きく、係合要素３２ｙと係合要素２５２ｙとが係合することで第２ヒンジ部が任意の開き角度でロックされる。また、図１２（Ｂ）に示すように、第１摺動体係合部４５２ａは、円錐面の内側面を形成している係合要素４５２ｙを有している。係合要素３１ｙと係合要素４５２ｙとの摩擦力は大きく、係合要素３１ｙと係合要素４５２ｙとが係合することで第１ヒンジ部は任意の開き角度でロックされる。
【００５８】
折り畳み型携帯電話機１００の使用状態の一例（開状態）を図１３に示す。図１３（Ａ）は携帯電話機を上側から見た状態を示し、図１３（Ｂ）は携帯電話機を下側から見た状態を示す。この状態においては、アーム部材３及び第２軸受部２５は、溝部第２直線部分１５ｃ及び回転体溝部１５ｄに収容されており、アーム部材３は第１筐体下側面１ｂが規定する仮想的な平面からはみ出していない。このため、アーム部材３に外力が加わることが防がれている。さらに、第１筐体下側面１ｂの一部と第２筐体上側面２ａの一部とが対向して接触している。したがって、折り畳み型携帯電話機１００は開状態において構造が安定化されており、第１軸受部４５及び第２軸受部２５が破損することが防がれている。折り畳み型携帯電話機１００の開状態においては、表示画面１２ａとメインキー２２とが露出している。この状態は、表示画面１２ａを縦長画面表示の状態で使用しており、メインキー２２を操作してメールを作成する場合に適している。ここで、図１３に示す携帯電話機１００の開状態は、図１に示す携帯電話機１００の閉状態から、第１筐体１を第２筐体上側面２ａに沿ってＹ２軸の正方向にスライドさせた状態である。折り畳み型携帯電話機１００においては、待受け状態である閉状態（図１参照）及び使用状態である開状態（図１３参照）のどちらの状態においても表示画面１２ａが露出している。したがって、閉状態においても表示画面１２ａに時刻やメールの受信通知を表示することが可能であり、サブ表示画面が必要とされないためにコストが削減される。
【００５９】
つぎに、折り畳み型携帯電話機１００においてテレビジョン放送を視聴するときの状態を図１４に示す。はじめに図１４を用いて角度θ１、θ２、θ３について説明する。角度θ１は、アーム部材３と回転体４との開き角度であり、原点Ｏ３と原点Ｏ４とを一致させてＸ３軸及びＸ４軸の負方向を見たときにＹ４軸に対するＹ３軸の角度を時計まわりに測った角度である。なお、第１筐体１とアーム部材３の開き角度を角度θ１で表す場合もある。角度θ２は、アーム部材３と第２筐体２との開き角度であり、原点Ｏ３と原点Ｏ２とを一致させてＸ３軸及びＸ２軸の負方向を見たときにＹ２軸に対するＹ３軸の角度を時計まわりに測った角度である。角度θ３は、第１筐体１と回転体４との回転角度であり、原点Ｏ１と原点Ｏ４とを一致させてＺ１軸及びＺ４軸の負方向を見たときにＸ４軸に対するＸ１軸の角度を反時計まわりに測った角度である。図１４に示す状態においては、第１筐体１が回転体４に対して９０°回転しているため、表示画面１２ａを横長画面表示の状態で使用してテレビジョン放送を視聴することができる。この状態においては、第２筐体２を卓上に載置し、第２筐体２とアーム部材３の開き角度θ２を変えることで第１筐体１の卓上面からの高さを調節し、回転体４とアーム部材３との開き角度θ１を変えることで表示画面１２ａが向く方向を調節し、テレビジョン放送を横長の大画面で視聴することができるので、テレビジョン放送の視聴に好適である。
【００６０】
折り畳み型携帯電話機１００における形状変化について図１５を用いて説明する。図１５（Ａ）は携帯電話機の折り畳み状態（待受状態）について示し、図１５（Ｂ）〜（Ｅ）は携帯電話機の通話状態について示している。図１５（Ａ）に示す待受状態は、図１に示す折り畳み状態（閉状態）と同じであり、角度θ１、θ２、θ３はいずれも０度である。図１５（Ｂ）〜（Ｅ）に示す通話状態においては、角度θ３は０度に維持されているが、角度θ１とθ２とは変化している。図１５（Ｂ）においては、角度θ１とθ２は、それぞれα１と９０度である。ここで、９０°＜α１＜１８０°である。図１５（Ｃ）においては、角度θ１とθ２は、それぞれα２と１２０度である。ここで、１２０°＜α２＜１８０°である。図１５（Ｄ）においては、角度θ１とθ２は、それぞれα３と１５０度である。ここで、１５０°＜α３＜１８０°である。図１５（Ｅ）においては、角度θ１とθ２は、ともに１８０°である。図１５（Ｅ）に示す状態は、図１３に示す状態と同じである。折り畳み型携帯電話機１００は、第１ヒンジ部と第２ヒンジ部のそれぞれの開き角度θ１とθ２とを独立して調節することが可能であるため、図１５（Ｂ）〜（Ｅ）に示す通話状態においてレシーバ１１とマイクロホン２１との相対位置を自由に調節し、その位置で固定することが可能である。
【００６１】
折り畳み型携帯電話機１００は、回転角度センサ７０により回転角度θ３を検出し、検出したθ３に基づいて、表示画面１２ａの表示を縦長画面表示と横長画面表示とに切換えることができる。また、検出したθ３に基づいて、表示方向切換えキー第１表示部１３ｘおよび表示方向切換えキー第２表示部１３ｙに表示するマークと、表示方向切換えキー第１入力部１３ａおよび表示方向切換えキー第２入力部１３ｂの操作に対する処理とを切換えることができる。
【００６２】
図１６を用いて回転角度センサ７０について説明する。回転角度センサ７０は、上側円盤面４ａに設けられている磁束発生器４Ｍ及び磁束発生器４Ｍ’と、溝部円形部分１５ａの底部に設けられている磁束検出器１６ａ及び磁束検出器１６ｂとを具備している。磁束発生器４Ｍ及び４Ｍ’には、永久磁石を用いることができる。磁束発生器４Ｍ及び磁束発生器４Ｍ’をＺ４軸の向きに見ると、磁束発生器４Ｍは回転体溝部１５ｄの一方の端部に位置し、磁束発生器４Ｍ’は回転体溝部１５ｄの他方の端部に位置し、磁束発生器４Ｍ’から磁束発生器４Ｍをみる方向は、Ｙ４軸の正方向に一致している。磁束発生器４Ｍは、Ｚ４軸及びＺ１軸の負方向を向く磁束を発生し、磁束発生器４Ｍ’はＺ４軸及びＺ１軸の正方向を向く磁束を発生する。溝部円形部分１５ａをＺ１軸の向きに見たときの磁束検出器１６ａと磁束検出器１６ｂの位置は、溝部円形部分１５ａの円形の底部の中心を原点Ｏ１とし、Ｙ１軸が指す位置を時計の１２時の位置とし、Ｘ１軸が指す位置を時計の９時の位置とすると、磁束検出器１６ａの位置は時計の９時の位置であり、磁束検出器１６ｂの位置は、時計の６時の位置である。磁束検出器１６ａ及び磁束検出器１６ｂは、ホール効果素子を具備しており、磁束の方向を検出することが可能である。図１６（Ａ）に示すように回転角度θ３が０度のときは、磁束検出器１６ａが磁束を検出せず、磁束検出器１６ｂがＺ１軸の正方向の磁束を検出することで、回転角度センサ７０は回転角度θ３が０度であることを検出する。図１６（Ｂ）に示すように回転角度θ３が９０度であるときは、磁束検出器１６ａがＺ１軸の負方向の磁束を検出し、磁束検出器１６ｂが磁束を検出しないことで、回転角度センサ７０は回転角度θ３が９０度であることを検出する。図１６（Ｃ）に示すように回転角度θ３が１８０度のときは、磁束検出器１６ａが磁束を検出せず、磁束検出器１６ｂがＺ１軸の負方向の磁束を検出することで、回転角度センサ７０は回転角度θ３が１８０度であることを検出する。図１６（Ｄ）に示すように回転角度θ３が２７０度であるときは、磁束検出器１６ａがＺ１軸の正方向の磁束を検出し、磁束検出器１６ｂが磁束を検出しないことで、回転角度センサ７０は回転角度θ３が２７０度であることを検出する。
【００６３】
第１筐体１と回転体４とは、３６０度の相対回転が可能である。角度θ３は、０度から３６０度の範囲を動いてもよく、−１８０度から１８０度の範囲を動いてもよい。
【００６４】
つぎに図１７を用いて、折り畳み型携帯電話機１００が表示画面１２ａの画面表示に関して行う処理について説明する。折り畳み型携帯電話機１００は制御装置５１を具備している。回転角度センサ７０は回転角度θ３を検出して、検出結果に基づいて回転角度信号１０１又は１１１を出力する。以下、回転角度θ３について場合分けをして説明する。なお、図１３及び図１４に示すように、表示画面１２ａの中心から見てＸ１軸の正方向に位置する辺を表示画面第２長辺１２ｓとし、Ｘ１軸の負方向に位置する辺を表示画面第１長辺１２ｒとし、Ｙ１軸の正方向に位置する辺を表示画面第１短辺１２ｐとし、Ｙ１軸の負方向に位置する辺を表示画面第２短辺１２ｑとする。表示画面第１短辺１２ｐ及び表示画面第２短辺１２ｑは表示画面１２ａの短辺であり、表示画面第１長辺１２ｒ及び表示画面第２長辺１２ｓは表示画面１２ａの長辺である。
【００６５】
θ３＝０°、１８０°の場合について説明する。回転角度センサ７０は角度θ３が０度又は１８０度であることを検出して回転角度信号１０１を出力する。制御装置５１は回転角度信号１０１に基づいて表示装置制御信号１０４を出力する。表示装置１２は表示装置制御信号１０４に基づいて表示画面１２ａに縦長画面表示で画面を表示する。また、制御装置５１は回転角度信号１０１に基づいて表示方向切換えキー第１表示部制御信号１０５及び表示方向切換えキー第２表示部制御信号１０６を出力する。表示方向切換えキー第１表示部１３ｘは、表示方向切換えキー第１表示部制御信号１０５に基づいて、図１３（Ａ）に示すようにＹ１軸の正方向を示すマークを表示する。表示方向切換えキー第２表示部１３ｙは、表示方向切換えキー第２表示部制御信号１０６に基づいて、図１３（Ａ）に示すようにＹ１軸の負方向を示すマークを表示する。表示方向切換えキー第１入力部１３ａは、表示方向切換えキー第１入力部１３ａが操作されると表示方向切換え第１信号１０２を出力する。制御装置５１は表示方向切換え第１信号１０２が入力されると回転角度信号１０１を参照してその後の処理を行う。すなわち、回転角度信号１０１が入力されているとき、制御装置５１は、表示方向制御第１信号１０７を出力する。表示装置１２は、表示方向制御第１信号１０７に基づいて、表示画面１２ａに表示画面第１短辺１２ｐが画面の上になるように表示する。同様に、表示方向切換えキー第２入力部１３ｂは、表示方向切換えキー第２入力部１３ｂが操作されると表示方向切換え第２信号１０３を出力する。制御装置５１は表示方向切換え第２信号１０３が入力されると回転角度信号１０１を参照してその後の処理を行う。すなわち、回転角度信号１０１が入力されているとき、制御装置５１は、表示方向制御第２信号１０８を出力する。表示装置１２は、表示方向制御第２信号１０８に基づいて、表示画面１２ａに表示画面第２短辺１２ｑが画面の上になるように表示する。
【００６６】
θ３＝９０°、２７０°の場合について説明する。回転角度センサ７０は角度θ３が９０度又は２７０度であることを検出して回転角度信号１１１を出力する。制御装置５１は回転角度信号１１１に基づいて表示装置制御信号１１４を出力する。表示装置１２は表示装置制御信号１１４に基づいて表示画面１２ａに横長画面表示で画面を表示する。また、制御装置５１は回転角度信号１１１に基づいて表示方向切換えキー第１表示部制御信号１１５及び表示方向切換えキー第２表示部制御信号１１６を出力する。表示方向切換えキー第１表示部１３ｘは、表示方向切換えキー第１表示部制御信号１１５に基づいて、図１４に示すようにＸ１軸の負方向を示すマークを表示する。表示方向切換えキー第２表示部１３ｙは、表示方向切換えキー第２表示部制御信号１１６に基づいて、図１４に示すようにＸ１軸の正方向を示すマークを表示する。表示方向切換えキー第１入力部１３ａは、表示方向切換えキー第１入力部１３ａが操作されると表示方向切換え第１信号１０２を出力する。制御装置５１は表示方向切換え第１信号１０２が入力されると回転角度信号１１１を参照してその後の処理を行う。すなわち、回転角度信号１１１が入力されているとき、制御装置５１は、表示方向制御第１信号１１７を出力する。表示装置１２は表示方向制御第１信号１１７に基づいて、表示画面１２ａに表示画面第１長辺１２ｒが画面の上になるように表示する。同様に、表示方向切換えキー第２入力部１３ｂは、表示方向切換えキー第２入力部１３ｂが操作されると表示方向切換え第２信号１０３を出力する。制御装置５１は表示方向切換え第２信号１０３が入力されると回転角度信号１１１を参照してその後の処理を行う。すなわち、回転角度信号１１１が入力されているとき、制御装置５１は、表示方向制御第２信号１１８を出力する。表示装置１２は表示方向制御第２信号１１８に基づいて、表示画面１２ａに表示画面第２長辺１２ｓが画面の上になるように表示する。
【００６７】
つぎに図１８を用いて折り畳み型携帯電話機１００が第１ヒンジ部及び第２ヒンジ部のロックとロックの解除とに関して行う処理について説明する。折り畳み型携帯電話機１００は制御装置５２を具備している。
【００６８】
第１ロック解除スイッチ１４ａ及び１４ａ’は、第１ロック解除スイッチ１４ａと第１ロック解除スイッチ１４ａ’とが同時に押下されているときに限って、第１ロック解除信号１２１を出力する。制御装置５２は第１ロック解除信号１２１に基づいて第１ロック機構制御信号１２４を出力する。第１ロック機構６１は第１ロック機構制御信号１２４に基づいて第１ヒンジ部のロックを解除する。制御装置５２は第１ロック解除信号１２１が入力されていないときはロック同時解除信号１２３が入力されているときを除いて第１ロック機構制御信号１２４を出力しない。第１ロック機構６１は第１ロック機構制御信号１２４が入力されないときは第１ヒンジ部をロックしておく。
【００６９】
同様に、第２ロック解除スイッチ１４ｃ及び１４ｃ’は、第２ロック解除スイッチ１４ｃと第２ロック解除スイッチ１４ｃ’とが同時に押下されているときに限って、第２ロック解除信号１２２を出力する。制御装置５２は第２ロック解除信号１２２に基づいて第２ロック機構制御信号１２５を出力する。第２ロック機構６２は第２ロック機構制御信号１２５に基づいて第２ヒンジ部のロックを解除する。第２ロック解除スイッチ１４ｃ及び１４ｃ’は、第２ロック解除スイッチ１４ｃと第２ロック解除スイッチ１４ｃ’とが同時に押下されていないときは第２ロック解除信号１２２を出力しない。制御装置５２は第２ロック解除信号１２２が入力されないときはロック同時解除信号１２３が入力されているときを除いて第２ロック機構制御信号１２５を出力しない。第２ロック機構６２は第２ロック機構制御信号１２５が入力されないときは第２ヒンジ部をロックしておく。
【００７０】
ロック同時解除スイッチ１４ｂ及び１４ｂ’は、ロック同時解除スイッチ１４ｂとロック同時解除スイッチ１４ｂ’とが同時に押下されているときに限って、ロック同時解除信号１２３を出力する。制御装置５２はロック同時解除信号１２３に基づいて第１ロック機構制御信号１２４及び第２ロック機構制御信号１２５を出力する。第１ロック機構６１は第１ロック機構制御信号１２４に基づいて第１ヒンジ部のロックを解除し、第２ロック機構６２は第２ロック機構制御信号１２５に基づいて第２ヒンジ部のロックを解除する。ロック同時解除スイッチ１４ｂ及び１４ｂ’は、ロック同時解除スイッチ１４ｂとロック同時解除スイッチ１４ｂ’とが同時に押下されていないときはロック同時解除信号１２３を出力しない。制御装置５２は、ロック同時解除信号１２３が入力されていないときは第１ロック解除信号１２１が入力されているときを除いて第１ロック機構制御信号１２４を出力せず、ロック同時解除信号１２３が入力されていないときは第２ロック解除信号１２２が入力されているときを除いて第２ロック機構制御信号１２５を出力しない。第１ロック機構６１は第１ロック機構制御信号１２４が入力されていないときは第１ヒンジ部をロックしておき、第２ロック機構６２は第２ロック機構制御信号１２５が入力されていないときは第２ヒンジ部をロックしておく。
【００７１】
折り畳み型携帯電話機１００においては、２個のスイッチが同時に押下されている場合に限って第１ヒンジ部と第２ヒンジ部のロックが解除されるため、誤って第１ヒンジ部と第２ヒンジ部のロックが解除されることが防がれている。また、第１ヒンジ部又は第２ヒンジ部のロックを単独で解除することも、第１ヒンジ部及び第２ヒンジ部のロックを同時に解除することもできるため、折り畳み型携帯電話機１００は操作性が優れている。
【００７２】
折り畳み型携帯電話機１００においては、信号１０１〜１０８、１１１、１１４〜１１８、１２１〜１２５を電気信号とすれば、表示方向切換えキー１３、第１ロック解除スイッチ１４ａ及び１４ａ’、第２ロック解除スイッチ１４ｃ及び１４ｃ’、ロック同時解除スイッチ１４ｂ及び１４ｂ’、制御装置５１、及び制御装置５２を自由にレイアウトすることができる。
【００７３】
また、本発明による折り畳み型携帯電話機においては、第１筐体１と回転体４とが角度θ３が０度の状態で固着されて第１筐体５を形成してもよい。このとき、第１筐体下側面１ｂと下側円盤面４ｂとが第１筐体５の下側面を形成する。回転角度θ３が０度の状態は、図１、図３、図１３、及び図１５に示されている。
【図面の簡単な説明】
【００７４】
【図１】図１は、本発明による折り畳み型携帯電話機の折り畳んだ状態を示す図であり、図１（Ａ）は携帯電話機を上側から見た状態を示し、図１（Ｂ）は携帯電話機を下側から見た状態を示す。
【図２】図２は、本発明による折り畳み型携帯電話機の組立図であり、図２（Ａ）は携帯電話機を上側から見た状態を示し、図２（Ｂ）は携帯電話機を下側から見た状態を示す。
【図３】図３は、本発明による折り畳み型携帯電話機の可動部について説明するための図であり、図３（Ａ）は携帯電話機を下側から見た状態を示し、図３（Ｂ）は携帯電話機を側面から見た状態を示す。
【図４】図４は、第１ヒンジ部の一の形態について、第１ヒンジ部をロックした状態について示す図であり、図４（Ａ）は第１ヒンジ部の上面図であり、図４（Ｂ）は第１ヒンジ部のＡ−Ａ切断線における断面図であり、図４（Ｃ）は第１ヒンジ部のＢ−Ｂ切断線における断面図である。
【図５】図５は、第１ヒンジ部の一の形態について、第１ヒンジ部のロックを解除した状態について示す図である。
【図６】図６は、第１ヒンジ部の一の形態について説明するための斜視図である。
【図７】図７は、第１ヒンジ部の他の形態について示す図であり、図７（Ａ）は第１ヒンジ部の上面図であり、図７（Ｂ）は第１ヒンジ部のＣ−Ｃ切断線における断面図である。
【図８】図８は、回転体について示す部分断面図であり、図８（Ａ）は第２ヒンジ部をロックした状態について示し、図８（Ｂ）は第２ヒンジ部のロックを解除した状態について示す。
【図９】図９は、第２ヒンジ部について説明するための斜視図である。
【図１０】図１０は、アーム部材に設けられた第１ヒンジ部及び第２ヒンジ部をロックするための係止構造について示す図であり、図１０（Ａ）は係止構造の一の形態について示し、図１０（Ｂ）は係止構造の他の形態について示す。
【図１１】図１１は、第２摺動体に設けられた第２ヒンジ部をロックするための係止構造について示す図であり、図１１（Ａ）は係止構造の一の形態について示し、図１１（Ｂ）は係止構造の他の形態について示す。
【図１２】図１２は、第１摺動体に設けられた第１ヒンジ部をロックするための係止構造について示す図であり、図１２（Ａ）は係止構造の一の形態について示し、図１２（Ｂ）は係止構造の他の形態について示す。
【図１３】図１３は、本発明による折り畳み型携帯電話機の使用状態を示す図であり、図１３（Ａ）は携帯電話機を上側から見た状態を示し、図１３（Ｂ）は携帯電話機を下側から見た状態を示す。
【図１４】図１４は、本発明による折り畳み型携帯電話機のテレビを視聴するときの状態を示す図である。
【図１５】図１５は、本発明による折り畳み型携帯電話機における形状変化について示す側面図であり、図１５（Ａ）は携帯電話機の折り畳み状態（待受状態）について示し、図１５（Ｂ）〜（Ｅ）は携帯電話機の通話状態について示す。本発明によれば、マイクロホンとレシーバの相対位置を調節し、その位置で固定することが可能である。
【図１６】図１６は、第１筐体と回転体との回転角度を検出するための回転角度センサについて説明するための図であり、図１６（Ａ）は回転角度が０度のときについて示し、図１６（Ｂ）は回転角度が９０度のときについて示し、図１６（Ｃ）は回転角度が１８０度（−１８０度）のときについて示し、図１６（Ｄ）は回転角度が２７０度（−９０度）のときについて示す。
【図１７】図１７は、本発明による折り畳み型携帯電話機における表示装置、表示方向切換えキー第１表示部、及び、表示方向切換えキー第２表示部の制御について説明するための機能ブロック図である。
【図１８】図１８は、本発明による折り畳み型携帯電話機における第１ロック機構及び第２ロック機構の制御について説明するための機能ブロック図である。
【図１９】図１９は、従来の折り畳み型携帯電話機を示す図である。
【符号の説明】
【００７５】
１、５…第１筐体
１ａ…第１筐体上側面
１ｂ…第１筐体下側面
１ｃ、１ｃ’…第１筐体側面
１１…レシーバ
１２…表示装置
１２ａ…表示画面
１２ｐ…表示画面第１短辺
１２ｑ…表示画面第２短辺
１２ｒ…表示画面第１長辺
１２ｓ…表示画面第２長辺
１３…表示方向切換えキー
１３ａ…表示方向切換えキー第１入力部
１３ｂ…表示方向切換えキー第２入力部
１３ｘ…表示方向切換えキー第１表示部
１３ｙ…表示方向切換えキー第２表示部
１４ａ、１４ａ’…第１ロック解除スイッチ
１４ｂ、１４ｂ’…ロック同時解除スイッチ
１４ｃ、１４ｃ’…第２ロック解除スイッチ
１５…溝部
１５ａ…溝部円形部分
１５ｂ…溝部第１直線部分
１５ｃ…溝部第２直線部分
１５ｄ…回転体溝部
１６ａ、１６ｂ…磁束検出器
１７…第１筐体側輪状ガイド部
２…第２筐体
２ａ…第２筐体上側面
２ｂ…第２筐体下側面
２１…マイクロホン
２２…メインキー
２３…スピーカ
２４…カメラ
２５…第２軸受部
２５Ａ…ガイド
２５Ｓ…弾性体
２５１、２５１’…軸受体
２５２、２５２’…第２摺動体
２５２ａ…第２摺動体係合部
２５２ｘ、２５２ｙ…係合要素
２５２Ｍ、２５２Ｍ’、２５４Ｍ、２５４Ｍ’…磁束発生器
２５２Ｒ、２５２Ｒ’…ラック
２５２Ｐ…ピニオン
２５３、２５３’…第２筐体孔部
２５４、２５４’…基部
３…アーム部材
３ａ…アーム部材上側面
３ｂ…アーム部材下側面
３１…第１ヒンジ軸
３１ａ…第１ヒンジ軸係合部
３１ｘ、３１ｙ、３２ｘ、３２ｙ…係合要素
３２…第２ヒンジ軸
３２ａ…第２ヒンジ軸係合部
３５…電気配線
４…回転体
４ａ…上側円盤面
４ｂ…下側円盤面
４Ｍ、４Ｍ’…磁束発生器
４１…回転体側輪状ガイド部
４５…第１軸受部
４５Ａ…ガイド
４５Ｓ…弾性体
４５１…軸受体
４５１Ｍ〜４５３Ｍ、４５１Ｍ’〜４５３Ｍ’…磁束発生器
４５２…第１摺動体
４５２ａ…第１摺動体係合部
４５２ｘ、４５２ｙ…係合要素
４５３…基部
４５４…外周壁
４５５…回転体溝部側壁
５１、５２…制御装置
６１…第１ロック機構
６２…第２ロック機構
７０…回転角度センサ
１００…折り畳み型携帯電話機
１０１、１１１…回転角度信号
１０２…表示方向切換え第１信号
１０３…表示方向切換え第２信号
１０４、１１４…表示装置制御信号
１０５、１１５…表示方向切換えキー第１表示部制御信号
１０６、１１６…表示方向切換えキー第２表示部制御信号
１０７、１１７…表示方向制御第１信号
１０８、１１８…表示方向制御第２信号
１２１…第１ロック解除信号
１２２…第２ロック解除信号
１２３…ロック同時解除信号
１２４…第１ロック機構制御信号
１２５…第２ロック機構制御信号
２０１…本体キャビネット
２０２…蓋体キャビネット
２０３…連結アーム
２０４…凸条部
２０５…メインディスプレイ
２０６…回転板
【図１】
0004539534.tif 000002
【図２】
0004539534.tif 000003
【図３】
0004539534.tif 000004
【図４】
0004539534.tif 000005
【図５】
0004539534.tif 000006
【図６】
0004539534.tif 000007
【図７】
0004539534.tif 000008
【図８】
0004539534.tif 000009
【図９】
0004539534.tif 000010
【図１０】
0004539534.tif 000011
【図１１】
0004539534.tif 000012
【図１２】
0004539534.tif 000013
【図１３】
0004539534.tif 000014
【図１４】
0004539534.tif 000015
【図１５】
0004539534.tif 000016
【図１６】
0004539534.tif 000017
【図１７】
0004539534.tif 000018
【図１８】
0004539534.tif 000019
【図１９】
0004539534.tif 000020